(57)【要約】    【課題】      移動通信端末装置からのエリア移動隣接情報に基づいて新たに隣接情報を登録することができ、隣接情報が登録されている場合に移動通信端末装置が隣接する無線エリアに移動する毎に通常の通信が一時的に不可能となることを防止すること。    【解決手段】  複数のＡＰ１ａ〜１ｄの各々は、装置識別情報を送信し、定期的に無線通信用の自己の識別情報を送信し、隣接情報を定期的に送信し、端末位置情報を送信し、受信する端末管理情報を蓄積し、移動通信端末装置１０１が配下の無線エリアに移動してきた時に前記端末管理情報に基づいて通信を継続する。移動通信端末装置１０１は、エリア移動隣接情報を隣接情報として他の無線エリアのＡＰに送信する。サーバ装置１０２は、前記端末位置情報を受信した時に隣接情報テーブル２１３の隣接情報に基づいて当該端末位置情報を送信した前記ＡＰに隣接するＡＰに前記端末管理情報を予め送信しておく。  【選択図】      図２
2006148256.tif 000002
【特許請求の範囲】
【請求項１】
複数の無線端末収容装置と、前記複数の無線端末収容装置の配下の複数の無線エリアを移動する複数の移動通信端末装置と、前記複数の無線端末収容装置と通信を行うサーバ装置と、を具備する通信ネットワークシステムにおいて、
前記複数の移動通信端末装置の各々は、
前記無線エリアの識別情報を取得する無線エリア識別情報取得手段と、
前記無線エリア識別情報取得手段により取得された前記無線エリアの識別情報を記憶する無線エリア識別情報記憶手段と、
１つの前記無線エリアから他の前記無線エリアに移動したことを検出してエリア移動情報を生成する移動検出手段と、
前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備し、
前記複数の無線端末収容装置の各々は、
起動時に少なくとも通信ネットワーク用の自己の識別情報と無線通信用の自己の識別情報を含む装置識別情報を前記サーバ装置に送信する装置識別情報送信手段と、
定期的に前記無線通信用の自己の識別情報を他の前記複数の無線端末収容装置に送信する識別情報送信手段と、
前記移動通信端末装置から受信した前記エリア移動隣接情報を隣接情報として定期的に前記サーバ装置に送信する隣接情報送信手段と、
前記移動通信端末装置からデータを受けた時に当該移動通信端末装置の位置情報である端末位置情報を前記サーバ装置に送信する端末位置情報送信手段と、
前記サーバ装置から送信される端末管理情報を蓄積する第１の端末管理情報蓄積手段と、
前記移動通信端末装置が配下の無線エリアに移動してきた時に前記端末管理情報に基づいて当該移動通信端末装置と通信を継続する通信継続手段と、を具備し、
前記サーバ装置は、
前記移動通信端末装置からの端末情報を端末管理情報として蓄積する第２の端末管理情報蓄積手段と、
前記装置識別情報を保持するための装置識別情報テーブルと、
受信する前記装置識別情報を前記装置識別情報テーブルに登録する装置識別情報登録手段と、
前記装置識別情報ごとの前記隣接情報を保持するための隣接情報テーブルと、
前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブル登録する隣接情報登録手段と、
前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、を具備することを特徴とする通信ネットワークシステム。
【請求項２】
複数の無線端末収容装置と、前記複数の無線端末収容装置の配下の複数の無線エリアを移動する複数の移動通信端末装置と、前記複数の無線端末収容装置と通信を行うサーバ装置と、を具備し、複数の無線端末収容装置の各々は、起動時に少なくとも通信ネットワーク用の自己の識別情報と無線通信用の自己の識別情報を含む装置識別情報を前記サーバ装置に送信する装置識別情報送信手段と、定期的に前記無線通信用の自己の識別情報を他の前記複数の無線端末収容装置に送信する識別情報送信手段と、前記移動通信端末装置から受信したエリア移動隣接情報を隣接情報として定期的に前記サーバ装置に送信する隣接情報送信手段と、前記移動通信端末装置からデータを受けた時に当該移動通信端末装置の位置情報である端末位置情報を前記サーバ装置に送信する端末位置情報送信手段と、前記サーバ装置から送信される端末管理情報を蓄積する第１の端末管理情報蓄積手段と、前記移動通信端末装置が配下の無線エリアに移動してきた時に前記端末管理情報に基づいて当該移動通信端末装置と通信を継続する通信継続手段と、を具備し、前記サーバ装置は、前記移動通信端末装置からの端末情報を端末管理情報として蓄積する第２の端末管理情報蓄積手段と、前記装置識別情報を保持するための装置識別情報テーブルと、受信する前記装置識別情報を前記装置識別情報テーブルに登録する装置識別情報登録手段と、前記装置識別情報ごとの前記隣接情報を保持するための隣接情報テーブルと、前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブル登録する隣接情報登録手段と、前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、を具備する通信ネットワークシステムにおいて、
前記無線エリアの識別情報を取得する無線エリア識別情報取得手段と、
前記無線エリア識別情報取得手段により取得された前記無線エリアの識別情報を記憶する無線エリア識別情報記憶手段と、
１つの前記無線エリアから他の前記無線エリアに移動したことを検出してエリア移動情報を生成する移動検出手段と、
前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備することを特徴とする移動通信端末装置。
【請求項３】
複数の無線端末収容装置と、前記複数の無線端末収容装置の配下の複数の無線エリアを移動する複数の移動通信端末装置と、前記複数の無線端末収容装置と通信を行うサーバ装置と、を具備し、前記複数の移動通信端末装置の各々は、前記無線エリアの識別情報を取得する無線エリア識別情報取得手段と、前記無線エリア識別情報取得手段により取得された前記無線エリアの識別情報を記憶する無線エリア識別情報記憶手段と、１つの前記無線エリアから他の前記無線エリアに移動したことを検出してエリア移動情報を生成する移動検出手段と、前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備し、前記サーバ装置は、前記移動通信端末装置からの端末情報を端末管理情報として蓄積する第２の端末管理情報蓄積手段と、装置識別情報を保持するための装置識別情報テーブルと、受信する前記装置識別情報を前記装置識別情報テーブルに登録する装置識別情報登録手段と、前記装置識別情報ごとの前記隣接情報を保持するための隣接情報テーブルと、前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブル登録する隣接情報登録手段と、前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、を具備する通信ネットワークシステムにおいて、
起動時に少なくとも通信ネットワーク用の自己の識別情報と無線通信用の自己の識別情報を含む前記装置識別情報を前記サーバ装置に送信する装置識別情報送信手段と、
定期的に前記無線通信用の自己の識別情報を他の前記複数の無線端末収容装置に送信する識別情報送信手段と、
前記移動通信端末装置から受信した前記エリア移動隣接情報を隣接情報として定期的に前記サーバ装置に送信する隣接情報送信手段と、
前記移動通信端末装置からデータを受けた時に当該移動通信端末装置の位置情報である端末位置情報を前記サーバ装置に送信する端末位置情報送信手段と、
前記サーバ装置から送信される端末管理情報を蓄積する第１の端末管理情報蓄積手段と、
前記移動通信端末装置が配下の無線エリアに移動してきた時に前記端末管理情報に基づいて当該移動通信端末装置と通信を継続する通信継続手段と、を具備することを特徴とする無線端末収容装置。
【請求項４】
複数の無線端末収容装置と、前記複数の無線端末収容装置の配下の複数の無線エリアを移動する複数の移動通信端末装置と、前記複数の無線端末収容装置と通信を行うサーバ装置と、を具備し、前記複数の移動通信端末装置の各々は、前記無線エリアの識別情報を取得する無線エリア識別情報取得手段と、前記無線エリア識別情報取得手段により取得された前記無線エリアの識別情報を記憶する無線エリア識別情報記憶手段と、１つの前記無線エリアから他の前記無線エリアに移動したことを検出してエリア移動情報を生成する移動検出手段と、前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備し、前記複数の無線端末収容装置の各々は、
起動時に少なくとも通信ネットワーク用の自己の識別情報と無線通信用の自己の識別情報を含む装置識別情報を前記サーバ装置に送信する装置識別情報送信手段と、定期的に前記無線通信用の自己の識別情報を他の前記複数の無線端末収容装置に送信する識別情報送信手段と、
前記移動通信端末装置から受信した前記エリア移動隣接情報を隣接情報として定期的に前記サーバ装置に送信する隣接情報送信手段と、前記移動通信端末装置からデータを受けた時に当該移動通信端末装置の位置情報である端末位置情報を前記サーバ装置に送信する端末位置情報送信手段と、前記サーバ装置から送信される端末管理情報を蓄積する第１の端末管理情報蓄積手段と、前記移動通信端末装置が配下の無線エリアに移動してきた時に前記端末管理情報に基づいて当該移動通信端末装置と通信を継続する通信継続手段と、を具備する通信ネットワークシステムにおいて、
前記移動通信端末装置からの端末情報を端末管理情報として蓄積する第２の端末管理情報蓄積手段と、
前記装置識別情報を保持するための装置識別情報テーブルと、
受信する前記装置識別情報を前記装置識別情報テーブルに登録する装置識別情報登録手段と、
前記装置識別情報ごとの前記隣接情報を保持するための隣接情報テーブルと、
前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブル登録する隣接情報登録手段と、
前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、を具備することを特徴とするサーバ装置。
【請求項５】
複数の無線端末収容装置と、前記複数の無線端末収容装置の配下の複数の無線エリアを移動する複数の移動通信端末装置と、前記複数の無線端末収容装置と通信を行うサーバ装置と、を具備する通信ネットワークシステムにおいて、
前記複数の移動通信端末装置の各々は、
前記無線エリアの識別情報を取得する無線エリア識別情報取得手段と、
前記無線エリア識別情報取得手段により取得された前記無線エリアの識別情報を記憶する無線エリア識別情報記憶手段と、
１つの前記無線エリアから他の前記無線エリアに移動したことを検出してエリア移動情報を生成する移動検出手段と、
前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備し、
前記複数の無線端末収容装置の各々は、
起動時に少なくとも通信ネットワーク用の自己の識別情報と無線通信用の自己の識別情報を含む装置識別情報を前記サーバ装置に送信する装置識別情報送信手段と、
定期的に前記無線通信用の自己の識別情報を他の前記複数の無線端末収容装置に送信する識別情報送信手段と、
前記移動通信端末装置から受信した前記エリア移動隣接情報を隣接情報として定期的に前記サーバ装置に送信する第１の隣接情報送信手段と、
他の前記無線端末収容装置から受信したパケットから自己の前記無線エリアに隣接する前記無線エリアの情報である隣接情報を生成して定期的に前記サーバ装置に送信する第２の隣接情報送信手段と、
前記移動通信端末装置からデータを受けた時に当該移動通信端末装置の位置情報である端末位置情報を前記サーバ装置に送信する端末位置情報送信手段と、
前記サーバ装置から送信される端末管理情報を蓄積する第１の端末管理情報蓄積手段と、
前記移動通信端末装置が配下の無線エリアに移動してきた時に前記端末管理情報に基づいて当該移動通信端末装置と通信を継続する通信継続手段と、を具備し、
前記サーバ装置は、
前記移動通信端末装置からの端末情報を端末管理情報として蓄積する第２の端末管理情報蓄積手段と、
前記装置識別情報を保持するための装置識別情報テーブルと、
受信する前記装置識別情報を前記装置識別情報テーブルに登録する装置識別情報登録手段と、
前記装置識別情報ごとの前記隣接情報を保持するための隣接情報テーブルと、
前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブル登録する隣接情報登録手段と、
前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、を具備することを特徴とする通信ネットワークシステム。
【請求項６】
複数の無線端末収容装置と、前記複数の無線端末収容装置の配下の複数の無線エリアを移動する複数の移動通信端末装置と、を具備する通信ネットワークシステムにおいて、
前記複数の移動通信端末装置の各々は、
前記無線エリアの識別情報を取得する無線エリア識別情報取得手段と、
前記無線エリア識別情報取得手段により取得された前記無線エリアの識別情報を記憶する無線エリア識別情報記憶手段と、
１つの前記無線エリアから他の前記無線エリアに移動したことを検出してエリア移動情報を生成する移動検出手段と、
前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備し、
前記複数の無線端末収容装置の各々は、
起動時に少なくとも通信ネットワーク用の自己の識別情報と無線通信用の自己の識別情報を含む装置識別情報を他の前記無線端末収容装置に送信する装置識別情報送信手段と、
定期的に前記無線通信用の自己の識別情報を他の前記複数の無線端末収容装置に送信する識別情報送信手段と、
前記移動通信端末装置から受信した前記エリア移動隣接情報を隣接情報として定期的に他の前記無線端末収容装置に送信する隣接情報送信手段と、
他の前記無線端末収容装置から送信される端末管理情報を蓄積すると共に前記移動通信端末装置からの端末情報を端末管理情報として蓄積する端末管理情報蓄積手段と、
前記移動通信端末装置が配下の無線エリアに移動してきた時に前記端末管理情報に基づいて当該移動通信端末装置と通信を継続する通信継続手段と、
前記装置識別情報を保持するための装置識別情報テーブルと、
受信する前記装置識別情報を前記装置識別情報テーブルに登録する装置識別情報登録手段と、
前記装置識別情報ごとの前記隣接情報を保持するための隣接情報テーブルと、
前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブル登録する隣接情報登録手段と、
前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、
前記移動通信端末装置からデータを受けた時に当該移動通信端末装置の位置情報である端末位置情報を前記移動前端末管理情報送信手段及び前記端末管理情報蓄積手段に送信する端末位置情報送信手段と、を具備することを特徴とする通信ネットワークシステム。
【請求項７】
複数の無線端末収容装置と、前記複数の無線端末収容装置の配下の複数の無線エリアを移動する複数の移動通信端末装置と、を具備し、前記複数の無線端末収容装置の各々は、起動時に少なくとも通信ネットワーク用の自己の識別情報と無線通信用の自己の識別情報を含む装置識別情報を他の前記無線端末収容装置に送信する装置識別情報送信手段と、定期的に前記無線通信用の自己の識別情報を他の前記複数の無線端末収容装置に送信する識別情報送信手段と、前記移動通信端末装置から受信したエリア移動隣接情報を隣接情報として定期的に他の前記無線端末収容装置に送信する隣接情報送信手段と、他の前記無線端末収容装置から送信される端末管理情報を蓄積すると共に前記移動通信端末装置からの端末情報を端末管理情報として蓄積する端末管理情報蓄積手段と、前記移動通信端末装置が配下の無線エリアに移動してきた時に前記端末管理情報に基づいて当該移動通信端末装置と通信を継続する通信継続手段と、前記装置識別情報を保持するための装置識別情報テーブルと、受信する前記装置識別情報を前記装置識別情報テーブルに登録する装置識別情報登録手段と、前記装置識別情報ごとの前記隣接情報を保持するための隣接情報テーブルと、前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブル登録する隣接情報登録手段と、前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、前記移動通信端末装置からデータを受けた時に当該移動通信端末装置の位置情報である端末位置情報を前記移動前端末管理情報送信手段及び前記端末管理情報蓄積手段に送信する端末位置情報送信手段と、を具備する通信ネットワークシステムにおいて、
前記無線エリアの識別情報を取得する無線エリア識別情報取得手段と、
前記無線エリア識別情報取得手段により取得された前記無線エリアの識別情報を記憶する無線エリア識別情報記憶手段と、
１つの前記無線エリアから他の前記無線エリアに移動したことを検出してエリア移動情報を生成する移動検出手段と、
前記エリア移動情報に係る前記１つの無線エリア及び前記他の無線エリアの情報である前記エリア移動隣接情報を前記他の無線エリアの前記無線端末収容装置に送信するエリア移動隣接情報送信手段と、を具備することを特徴とする移動通信端末装置。
【請求項８】
複数の無線端末収容装置と、前記複数の無線端末収容装置の配下の複数の無線エリアを移動する複数の移動通信端末装置と、を具備し、前記複数の移動通信端末装置の各々は、前記無線エリアの識別情報を取得する無線エリア識別情報取得手段と、前記無線エリア識別情報取得手段により取得された前記無線エリアの識別情報を記憶する無線エリア識別情報記憶手段と、１つの前記無線エリアから他の前記無線エリアに移動したことを検出してエリア移動情報を生成する移動検出手段と、前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備する通信ネットワークシステムにおいて、
起動時に少なくとも通信ネットワーク用の自己の識別情報と無線通信用の自己の識別情報を含む装置識別情報を他の前記無線端末収容装置に送信する装置識別情報送信手段と、
定期的に前記無線通信用の自己の識別情報を他の前記複数の無線端末収容装置に送信する識別情報送信手段と、
前記移動通信端末装置から受信した前記エリア移動隣接情報を隣接情報として定期的に他の前記無線端末収容装置に送信する隣接情報送信手段と、
他の前記無線端末収容装置から送信される端末管理情報を蓄積すると共に前記移動通信端末装置からの端末情報を端末管理情報として蓄積する端末管理情報蓄積手段と、
前記移動通信端末装置が配下の無線エリアに移動してきた時に前記端末管理情報に基づいて当該移動通信端末装置と通信を継続する通信継続手段と、
前記装置識別情報を保持するための装置識別情報テーブルと、
受信する前記装置識別情報を前記装置識別情報テーブルに登録する装置識別情報登録手段と、
前記装置識別情報ごとの前記隣接情報を保持するための隣接情報テーブルと、
前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブル登録する隣接情報登録手段と、
前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、
前記移動通信端末装置からデータを受けた時に当該移動通信端末装置の位置情報である端末位置情報を前記移動前端末管理情報送信手段及び前記端末管理情報蓄積手段に送信する端末位置情報送信手段と、を具備することを特徴とする無線端末収容装置。
【請求項９】
複数の無線端末収容装置と、前記複数の無線端末収容装置の配下の複数の無線エリアを移動する複数の移動通信端末装置と、を具備する通信ネットワークシステムにおいて、
前記複数の移動通信端末装置の各々は、
前記無線エリアの識別情報を取得する無線エリア識別情報取得手段と、
前記無線エリア識別情報取得手段により取得された前記無線エリアの識別情報を記憶する無線エリア識別情報記憶手段と、
１つの前記無線エリアから他の前記無線エリアに移動したことを検出してエリア移動情報を生成する移動検出手段と、
前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備し、
前記複数の無線端末収容装置の各々は、
起動時に少なくとも通信ネットワーク用の自己の識別情報と無線通信用の自己の識別情報を含む装置識別情報を他の前記無線端末収容装置に送信する装置識別情報送信手段と、
定期的に前記無線通信用の自己の識別情報を他の前記複数の無線端末収容装置に送信する識別情報送信手段と、
前記移動通信端末装置から受信した前記エリア移動隣接情報を隣接情報として定期的に他の前記無線端末収容装置に送信する第１の隣接情報送信手段と、
他の前記無線端末収容装置から受信したパケットから自己の前記無線エリアに隣接する前記無線エリアの情報である隣接情報を生成して定期的に他の前記無線端末収容装置に送信する第２の隣接情報送信手段と、
他の前記無線端末収容装置から送信される端末管理情報を蓄積すると共に前記移動通信端末装置からの端末情報を端末管理情報として蓄積する端末管理情報蓄積手段と、
前記移動通信端末装置が配下の無線エリアに移動してきた時に前記端末管理情報に基づいて当該移動通信端末装置と通信を継続する通信継続手段と、
前記装置識別情報を保持するための装置識別情報テーブルと、
受信する前記装置識別情報を前記装置識別情報テーブルに登録する装置識別情報登録手段と、
前記装置識別情報ごとの前記隣接情報を保持するための隣接情報テーブルと、
前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブル登録する隣接情報登録手段と、
前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、
前記移動通信端末装置からデータを受けた時に当該移動通信端末装置の位置情報である端末位置情報を前記移動前端末管理情報送信手段及び前記端末管理情報蓄積手段に送信する端末位置情報送信手段と、を具備することを特徴とする通信ネットワークシステム。
【発明の詳細な説明】
【技術分野】
【０００１】
本発明は、複数の無線端末収容装置と、前記複数の無線端末収容装置の配下の複数の無線エリアを移動する複数の移動通信端末装置と、前記複数の無線端末収容装置と通信を行うサーバ装置と、を具備する通信ネットワークシステムに関する。
【背景技術】
【０００２】
第１の従来の通信ネットワークシステムとして、特許文献１に記載されたものがある。
【０００３】
図１１に示すように、この第１の従来の通信ネットワークシステム１０においては、ステーション３が加入しているアクセスポイント装置（ＡＰ２）から別のＡＰへのローミング時間を短縮するために、ＡＰ２及び隣接する４つのＡＰ（ＡＰ３〜ＡＰ６）のホッピング情報をイーサネット（登録商標）１上に送る。
【０００４】
また、ステーション３が接続しているＡＰ２から隣接アクセスポイント装置ＡＰ１〜ＡＰ６の情報を取り出してダウンロードできるようにして、ステーションがＡＰ２のビーコンクオリティーが閾値以下になった場合にはダウンロードした情報に基づいてＡＰ１〜ＡＰ６と直接同期をとり、ＲＳＳＩが最も高いアクセスポイント装置にローミングする。
【０００５】
また、第２の従来の通信ネットワークシステムとして、特許文献２に記載されたものがある。
【０００６】
この第２の従来の通信ネットワークシステムにおいては、クライアント端末装置が第１のアクセスポイント装置を介してネットワークに接続することを既に許可された後、クライアント端末装置が第２のアクセスポイント装置の通信可能範囲に移動した場合には、クライアント端末装置は第２のアクセスポイント装置を介して所定の認証手続きを行うことなく、ネットワークに接続することが許可される。  
【特許文献１】特開２００１−９４５７２号公報
【特許文献２】特開２００３−１８８８８５号公報
【発明の開示】
【発明が解決しようとする課題】
【０００７】
しかしながら、前記第１の従来の通信ネットワークシステムにおいては、アクセスポイント装置の追加、削除及び移動などのネットワークの構成の変化ごとに、保守管理者（オペレーター）が隣接するアクセスポイント装置の情報（隣接情報）を登録しなければならないという問題がある。
【０００８】
また、前記第２の従来の通信ネットワークシステムにおいては、クライアント端末装置が隣接する無線エリアに移動する毎に、クライアント端末装置から上りパケットを受信したアクセスポイント装置は、クライアント端末装置がネットワークに接続することが許可されているか否かを判別するためにサーバ装置と通信しなければならないから通常の通信が一時的に不可能となるという問題がある。
【０００９】
また、従来の通信ネットワークシステムにおいては、２つのアクセスポイント装置が高い位置に配置されており、かつ、２つのアクセスポイント装置を結ぶ直線上に物理的又は電波的な障害物がある場合に２つのアクセスポイント装置は通信できないが移動通信端末装置が実際に移動する地面に近い空間では無線エリアが隣接し、また、２つのアクセスポイント装置を結ぶ直線上における地面に近い空間に物理的又は電波的な障害物がある場合に２つのアクセスポイント装置は通信が可能であるが無線エリアが隣接していないため、実際の無線エリアの隣接情報を得ることができない場合があるという問題がある。
【００１０】
本発明は、通信ネットワークシステムの構成の変化ごとに保守管理者（オペレーター）が隣接する無線端末収容装置（アクセスポイント装置）の情報（隣接情報）を登録する必要がなく、移動通信端末装置からのエリア移動隣接情報に基づいて新たに隣接情報を登録することができ、かつ、隣接情報が登録されている場合に移動通信端末装置（クライアント端末装置）が隣接する無線エリアに移動する毎に通常の通信が一時的に不可能となることを防止することができる通信ネットワークシステム、サーバ装置、無線端末収容装置及び移動通信端末装置を提供することを目的とする。
【００１１】
また、本発明は、実際の無線エリアの隣接情報を得ることができる通信ネットワークシステム、サーバ装置、無線端末収容装置及び移動通信端末装置を提供することを目的とする。
【課題を解決するための手段】
【００１２】
本発明の第１のものに係る通信ネットワークシステムは、複数の無線端末収容装置と、前記複数の無線端末収容装置の配下の複数の無線エリアを移動する複数の移動通信端末装置と、前記複数の無線端末収容装置と通信を行うサーバ装置と、を具備する通信ネットワークシステムにおいて、前記複数の移動通信端末装置の各々は、前記無線エリアの識別情報を取得する無線エリア識別情報取得手段と、前記無線エリア識別情報取得手段により取得された前記無線エリアの識別情報を記憶する無線エリア識別情報記憶手段と、１つの前記無線エリアから他の前記無線エリアに移動したことを検出してエリア移動情報を生成する移動検出手段と、前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備し、前記複数の無線端末収容装置の各々は、起動時に少なくとも通信ネットワーク用の自己の識別情報と無線通信用の自己の識別情報を含む装置識別情報を前記サーバ装置に送信する装置識別情報送信手段と、定期的に前記無線通信用の自己の識別情報を他の前記複数の無線端末収容装置に送信する識別情報送信手段と、前記移動通信端末装置から受信した前記エリア移動隣接情報を隣接情報として定期的に前記サーバ装置に送信する隣接情報送信手段と、前記移動通信端末装置からデータを受けた時に当該移動通信端末装置の位置情報である端末位置情報を前記サーバ装置に送信する端末位置情報送信手段と、前記サーバ装置から送信される端末管理情報を蓄積する第１の端末管理情報蓄積手段と、前記移動通信端末装置が配下の無線エリアに移動してきた時に前記端末管理情報に基づいて当該移動通信端末装置と通信を継続する通信継続手段と、を具備し、前記サーバ装置は、前記移動通信端末装置からの端末情報を端末管理情報として蓄積する第２の端末管理情報蓄積手段と、前記装置識別情報を保持するための装置識別情報テーブルと、受信する前記装置識別情報を前記装置識別情報テーブルに登録する装置識別情報登録手段と、前記装置識別情報ごとの前記隣接情報を保持するための隣接情報テーブルと、前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブルに登録する隣接情報登録手段と、前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、を具備する構成を採る。
【００１３】
本発明の第２のものに係る移動通信端末装置は、複数の無線端末収容装置と、前記複数の無線端末収容装置の配下の複数の無線エリアを移動する複数の移動通信端末装置と、前記複数の無線端末収容装置と通信を行うサーバ装置と、を具備し、複数の無線端末収容装置の各々は、起動時に少なくとも通信ネットワーク用の自己の識別情報と無線通信用の自己の識別情報を含む装置識別情報を前記サーバ装置に送信する装置識別情報送信手段と、定期的に前記無線通信用の自己の識別情報を他の前記複数の無線端末収容装置に送信する識別情報送信手段と、前記移動通信端末装置から受信したエリア移動隣接情報を隣接情報として定期的に前記サーバ装置に送信する隣接情報送信手段と、前記移動通信端末装置からデータを受けた時に当該移動通信端末装置の位置情報である端末位置情報を前記サーバ装置に送信する端末位置情報送信手段と、前記サーバ装置から送信される端末管理情報を蓄積する第１の端末管理情報蓄積手段と、前記移動通信端末装置が配下の無線エリアに移動してきた時に前記端末管理情報に基づいて当該移動通信端末装置と通信を継続する通信継続手段と、を具備し、前記サーバ装置は、前記移動通信端末装置からの端末情報を端末管理情報として蓄積する第２の端末管理情報蓄積手段と、前記装置識別情報を保持するための装置識別情報テーブルと、受信する前記装置識別情報を前記装置識別情報テーブルに登録する装置識別情報登録手段と、前記装置識別情報ごとの前記隣接情報を保持するための隣接情報テーブルと、前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブルに登録する隣接情報登録手段と、前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、を具備する通信ネットワークシステムにおいて、前記無線エリアの識別情報を取得する無線エリア識別情報取得手段と、前記無線エリア識別情報取得手段により取得された前記無線エリアの識別情報を記憶する無線エリア識別情報記憶手段と、１つの前記無線エリアから他の前記無線エリアに移動したことを検出して前記エリア移動情報を生成する移動検出手段と、前記エリア移動情報に係る前記１つの無線エリア及び前記他の無線エリアの情報である前記エリア移動隣接情報を前記他の無線エリアの前記無線端末収容装置に送信するエリア移動隣接情報送信手段と、を具備する構成を採る。
【００１４】
本発明の第３のものに係る無線端末収容装置は、複数の無線端末収容装置と、前記複数の無線端末収容装置の配下の複数の無線エリアを移動する複数の移動通信端末装置と、前記複数の無線端末収容装置と通信を行うサーバ装置と、を具備し、前記複数の移動通信端末装置の各々は、前記無線エリアの識別情報を取得する無線エリア識別情報取得手段と、前記無線エリア識別情報取得手段により取得された前記無線エリアの識別情報を記憶する無線エリア識別情報記憶手段と、１つの前記無線エリアから他の前記無線エリアに移動したことを検出してエリア移動情報を生成する移動検出手段と、前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備し、前記サーバ装置は、前記移動通信端末装置からの端末情報を端末管理情報として蓄積する第２の端末管理情報蓄積手段と、装置識別情報を保持するための装置識別情報テーブルと、受信する前記装置識別情報を前記装置識別情報テーブルに登録する装置識別情報登録手段と、前記装置識別情報ごとの前記隣接情報を保持するための隣接情報テーブルと、前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブルに登録する隣接情報登録手段と、前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、を具備する通信ネットワークシステムにおいて、起動時に少なくとも通信ネットワーク用の自己の識別情報と無線通信用の自己の識別情報を含む前記装置識別情報を前記サーバ装置に送信する装置識別情報送信手段と、定期的に前記無線通信用の自己の識別情報を他の前記複数の無線端末収容装置に送信する識別情報送信手段と、前記移動通信端末装置から受信した前記エリア移動隣接情報を隣接情報として定期的に前記サーバ装置に送信する隣接情報送信手段と、前記移動通信端末装置からデータを受けた時に当該移動通信端末装置の位置情報である端末位置情報を前記サーバ装置に送信する端末位置情報送信手段と、前記サーバ装置から送信される端末管理情報を蓄積する第１の端末管理情報蓄積手段と、前記移動通信端末装置が配下の無線エリアに移動してきた時に前記端末管理情報に基づいて当該移動通信端末装置と通信を継続する通信継続手段と、を具備する構成を採る。
【００１５】
本発明の第４のものに係るサーバ装置は、複数の無線端末収容装置と、前記複数の無線端末収容装置の配下の複数の無線エリアを移動する複数の移動通信端末装置と、前記複数の無線端末収容装置と通信を行うサーバ装置と、を具備し、前記複数の移動通信端末装置の各々は、前記無線エリアの識別情報を取得する無線エリア識別情報取得手段と、前記無線エリア識別情報取得手段により取得された前記無線エリアの識別情報を記憶する無線エリア識別情報記憶手段と、１つの前記無線エリアから他の前記無線エリアに移動したことを検出してエリア移動情報を生成する移動検出手段と、前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備し、前記複数の無線端末収容装置の各々は、起動時に少なくとも通信ネットワーク用の自己の識別情報と無線通信用の自己の識別情報を含む装置識別情報を前記サーバ装置に送信する装置識別情報送信手段と、定期的に前記無線通信用の自己の識別情報を他の前記複数の無線端末収容装置に送信する識別情報送信手段と、前記移動通信端末装置から受信した前記エリア移動隣接情報を隣接情報として定期的に前記サーバ装置に送信する隣接情報送信手段と、前記移動通信端末装置からデータを受けた時に当該移動通信端末装置の位置情報である端末位置情報を前記サーバ装置に送信する端末位置情報送信手段と、前記サーバ装置から送信される端末管理情報を蓄積する第１の端末管理情報蓄積手段と、前記移動通信端末装置が配下の無線エリアに移動してきた時に前記端末管理情報に基づいて当該移動通信端末装置と通信を継続する通信継続手段と、を具備する通信ネットワークシステムにおいて、前記移動通信端末装置からの端末情報を端末管理情報として蓄積する第２の端末管理情報蓄積手段と、前記装置識別情報を保持するための装置識別情報テーブルと、受信する前記装置識別情報を前記装置識別情報テーブルに登録する装置識別情報登録手段と、前記装置識別情報ごとの前記隣接情報を保持するための隣接情報テーブルと、前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブルに登録する隣接情報登録手段と、前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、を具備する構成を採る。
【００１６】
本発明の第５のものに係る通信ネットワークシステムは、複数の無線端末収容装置と、前記複数の無線端末収容装置の配下の複数の無線エリアを移動する複数の移動通信端末装置と、前記複数の無線端末収容装置と通信を行うサーバ装置と、を具備する通信ネットワークシステムにおいて、前記複数の移動通信端末装置の各々は、前記無線エリアの識別情報を取得する無線エリア識別情報取得手段と、前記無線エリア識別情報取得手段により取得された前記無線エリアの識別情報を記憶する無線エリア識別情報記憶手段と、１つの前記無線エリアから他の前記無線エリアに移動したことを検出してエリア移動情報を生成する移動検出手段と、前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備し、前記複数の無線端末収容装置の各々は、起動時に少なくとも通信ネットワーク用の自己の識別情報と無線通信用の自己の識別情報を含む装置識別情報を前記サーバ装置に送信する装置識別情報送信手段と、定期的に前記無線通信用の自己の識別情報を他の前記複数の無線端末収容装置に送信する識別情報送信手段と、前記移動通信端末装置から受信した前記エリア移動隣接情報を隣接情報として定期的に前記サーバ装置に送信する第１の隣接情報送信手段と、他の前記無線端末収容装置から受信したパケットから自己の前記無線エリアに隣接する前記無線エリアの情報である隣接情報を生成して定期的に前記サーバ装置に送信する第２の隣接情報送信手段と、前記移動通信端末装置からデータを受けた時に当該移動通信端末装置の位置情報である端末位置情報を前記サーバ装置に送信する端末位置情報送信手段と、前記サーバ装置から送信される端末管理情報を蓄積する第１の端末管理情報蓄積手段と、前記移動通信端末装置が配下の無線エリアに移動してきた時に前記端末管理情報に基づいて当該移動通信端末装置と通信を継続する通信継続手段と、を具備し、前記サーバ装置は、前記移動通信端末装置からの端末情報を端末管理情報として蓄積する第２の端末管理情報蓄積手段と、前記装置識別情報を保持するための装置識別情報テーブルと、受信する前記装置識別情報を前記装置識別情報テーブルに登録する装置識別情報登録手段と、前記装置識別情報ごとの前記隣接情報を保持するための隣接情報テーブルと、前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブルに登録する隣接情報登録手段と、前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、を具備する構成を採る。
【００１７】
本発明の第６のものに係る通信ネットワークシステムは、複数の無線端末収容装置と、前記複数の無線端末収容装置の配下の複数の無線エリアを移動する複数の移動通信端末装置と、を具備する通信ネットワークシステムにおいて、前記複数の移動通信端末装置の各々は、前記無線エリアの識別情報を取得する無線エリア識別情報取得手段と、前記無線エリア識別情報取得手段により取得された前記無線エリアの識別情報を記憶する無線エリア識別情報記憶手段と、１つの前記無線エリアから他の前記無線エリアに移動したことを検出してエリア移動情報を生成する移動検出手段と、前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備し、前記複数の無線端末収容装置の各々は、起動時に少なくとも通信ネットワーク用の自己の識別情報と無線通信用の自己の識別情報を含む装置識別情報を他の前記無線端末収容装置に送信する装置識別情報送信手段と、定期的に前記無線通信用の自己の識別情報を他の前記複数の無線端末収容装置に送信する識別情報送信手段と、前記移動通信端末装置から受信した前記エリア移動隣接情報を隣接情報として定期的に他の前記無線端末収容装置に送信する隣接情報送信手段と、他の前記無線端末収容装置から送信される端末管理情報を蓄積すると共に前記移動通信端末装置からの端末情報を端末管理情報として蓄積する端末管理情報蓄積手段と、前記移動通信端末装置が配下の無線エリアに移動してきた時に前記端末管理情報に基づいて当該移動通信端末装置と通信を継続する通信継続手段と、前記装置識別情報を保持するための装置識別情報テーブルと、受信する前記装置識別情報を前記装置識別情報テーブルに登録する装置識別情報登録手段と、前記装置識別情報ごとの前記隣接情報を保持するための隣接情報テーブルと、前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブルに登録する隣接情報登録手段と、前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、前記移動通信端末装置からデータを受けた時に当該移動通信端末装置の位置情報である端末位置情報を前記移動前端末管理情報送信手段及び前記端末管理情報蓄積手段に送信する端末位置情報送信手段と、を具備する構成を採る。
【００１８】
本発明の第７のものに係る移動通信端末装置は、複数の無線端末収容装置と、前記複数の無線端末収容装置の配下の複数の無線エリアを移動する複数の移動通信端末装置と、を具備し、前記複数の無線端末収容装置の各々は、起動時に少なくとも通信ネットワーク用の自己の識別情報と無線通信用の自己の識別情報を含む装置識別情報を他の前記無線端末収容装置に送信する装置識別情報送信手段と、定期的に前記無線通信用の自己の識別情報を他の前記複数の無線端末収容装置に送信する識別情報送信手段と、前記移動通信端末装置から受信したエリア移動隣接情報を隣接情報として定期的に他の前記無線端末収容装置に送信する隣接情報送信手段と、他の前記無線端末収容装置から送信される端末管理情報を蓄積すると共に前記移動通信端末装置からの端末情報を端末管理情報として蓄積する端末管理情報蓄積手段と、前記移動通信端末装置が配下の無線エリアに移動してきた時に前記端末管理情報に基づいて当該移動通信端末装置と通信を継続する通信継続手段と、前記装置識別情報を保持するための装置識別情報テーブルと、受信する前記装置識別情報を前記装置識別情報テーブルに登録する装置識別情報登録手段と、前記装置識別情報ごとの前記隣接情報を保持するための隣接情報テーブルと、前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブルに登録する隣接情報登録手段と、前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、前記移動通信端末装置からデータを受けた時に当該移動通信端末装置の位置情報である端末位置情報を前記移動前端末管理情報送信手段及び前記端末管理情報蓄積手段に送信する端末位置情報送信手段と、を具備する通信ネットワークシステムにおいて、前記無線エリアの識別情報を取得する無線エリア識別情報取得手段と、前記無線エリア識別情報取得手段により取得された前記無線エリアの識別情報を記憶する無線エリア識別情報記憶手段と、１つの前記無線エリアから他の前記無線エリアに移動したことを検出してエリア移動情報を生成する移動検出手段と、前記エリア移動情報に係る前記１つの無線エリア及び前記他の無線エリアの情報である前記エリア移動隣接情報を前記他の無線エリアの前記無線端末収容装置に送信するエリア移動隣接情報送信手段と、を具備する構成を採る。
【００１９】
本発明の第８のものに係る無線端末収容装置は、複数の無線端末収容装置と、前記複数の無線端末収容装置の配下の複数の無線エリアを移動する複数の移動通信端末装置と、を具備し、前記複数の移動通信端末装置の各々は、前記無線エリアの識別情報を取得する無線エリア識別情報取得手段と、前記無線エリア識別情報取得手段により取得された前記無線エリアの識別情報を記憶する無線エリア識別情報記憶手段と、１つの前記無線エリアから他の前記無線エリアに移動したことを検出してエリア移動情報を生成する移動検出手段と、前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備する通信ネットワークシステムにおいて、起動時に少なくとも通信ネットワーク用の自己の識別情報と無線通信用の自己の識別情報を含む装置識別情報を他の前記無線端末収容装置に送信する装置識別情報送信手段と、定期的に前記無線通信用の自己の識別情報を他の前記複数の無線端末収容装置に送信する識別情報送信手段と、前記移動通信端末装置から受信した前記エリア移動隣接情報を隣接情報として定期的に他の前記無線端末収容装置に送信する隣接情報送信手段と、他の前記無線端末収容装置から送信される端末管理情報を蓄積すると共に前記移動通信端末装置からの端末情報を端末管理情報として蓄積する端末管理情報蓄積手段と、前記移動通信端末装置が配下の無線エリアに移動してきた時に前記端末管理情報に基づいて当該移動通信端末装置と通信を継続する通信継続手段と、前記装置識別情報を保持するための装置識別情報テーブルと、受信する前記装置識別情報を前記装置識別情報テーブルに登録する装置識別情報登録手段と、前記装置識別情報ごとの前記隣接情報を保持するための隣接情報テーブルと、前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブルに登録する隣接情報登録手段と、前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、前記移動通信端末装置からデータを受けた時に当該移動通信端末装置の位置情報である端末位置情報を前記移動前端末管理情報送信手段及び前記端末管理情報蓄積手段に送信する端末位置情報送信手段と、を具備する構成を採る。
【００２０】
本発明の第９のものに係る通信ネットワークシステムは、複数の無線端末収容装置と、前記複数の無線端末収容装置の配下の複数の無線エリアを移動する複数の移動通信端末装置と、を具備する通信ネットワークシステムにおいて、前記複数の移動通信端末装置の各々は、前記無線エリアの識別情報を取得する無線エリア識別情報取得手段と、前記無線エリア識別情報取得手段により取得された前記無線エリアの識別情報を記憶する無線エリア識別情報記憶手段と、１つの前記無線エリアから他の前記無線エリアに移動したことを検出してエリア移動情報を生成する移動検出手段と、前記エリア移動情報に係る前記１つの無線エリア及び前記他の無線エリアの情報であるエリア移動隣接情報を前記他の無線エリアの前記無線端末収容装置に送信するエリア移動隣接情報送信手段と、を具備し、前記複数の無線端末収容装置の各々は、起動時に少なくとも通信ネットワーク用の自己の識別情報と無線通信用の自己の識別情報を含む装置識別情報を他の前記無線端末収容装置に送信する装置識別情報送信手段と、定期的に前記無線通信用の自己の識別情報を他の前記複数の無線端末収容装置に送信する識別情報送信手段と、前記移動通信端末装置から受信した前記エリア移動隣接情報を隣接情報として定期的に他の前記無線端末収容装置に送信する第１の隣接情報送信手段と、他の前記無線端末収容装置から受信したパケットから自己の前記無線エリアに隣接する前記無線エリアの情報である隣接情報を生成して定期的に他の前記無線端末収容装置に送信する第２の隣接情報送信手段と、他の前記無線端末収容装置から送信される端末管理情報を蓄積すると共に前記移動通信端末装置からの端末情報を端末管理情報として蓄積する端末管理情報蓄積手段と、前記移動通信端末装置が配下の無線エリアに移動してきた時に前記端末管理情報に基づいて当該移動通信端末装置と通信を継続する通信継続手段と、前記装置識別情報を保持するための装置識別情報テーブルと、受信する前記装置識別情報を前記装置識別情報テーブルに登録する装置識別情報登録手段と、前記装置識別情報ごとの前記隣接情報を保持するための隣接情報テーブルと、前記隣接情報と前記装置識別情報テーブルの前記装置識別情報とに基づいて前記装置識別情報ごとの前記隣接情報が前記隣接情報テーブルに登録されていない時に当該装置識別情報ごとの当該隣接情報を前記隣接情報テーブルに登録する隣接情報登録手段と、前記端末位置情報を受信した時に前記隣接情報テーブルの前記隣接情報に基づいて当該端末位置情報を送信した前記無線端末収容装置に隣接する前記無線端末収容装置に前記端末管理情報を予め送信しておく移動前端末管理情報送信手段と、前記移動通信端末装置からデータを受けた時に当該移動通信端末装置の位置情報である端末位置情報を前記移動前端末管理情報送信手段及び前記端末管理情報蓄積手段に送信する端末位置情報送信手段と、を具備する構成を採る。
【発明の効果】
【００２１】
本発明によれば、移動通信端末装置から端末位置情報を受信した時に隣接情報テーブルの隣接情報に基づいて当該端末位置情報を送信した無線端末収容装置に隣接する他の無線端末収容装置に端末管理情報を予め送信しておくため、通信ネットワークシステムの構成の変化ごとに保守管理者（オペレーター）が隣接する無線端末収容装置の情報（隣接情報）を登録する必要がなく、移動通信端末装置からのエリア移動隣接情報に基づいて新たに隣接情報を登録することができ、かつ、隣接情報が登録されている場合に移動通信端末装置（クライアント端末装置）が隣接する無線エリアに移動する毎に通常の通信が一時的に不可能となることを防止することができる。
【００２２】
また、本発明によれば、複数の移動通信端末装置の各々は、無線エリアの識別情報を取得して記憶し、１つの前記無線エリアから他の前記無線エリアに移動したことを検出してエリア移動情報を生成し、かつ、前記エリア移動情報に係る前記１つの無線エリアの情報及び前記他の無線エリアであるエリア移動隣接情報を前記他の無線エリアの無線端末収容装置に送信するため、このエリア移動隣接情報に基づいて無線エリアの隣接情報を得るから、実際の無線エリアの隣接情報を得ることができる。
【発明を実施するための最良の形態】
【００２３】
次に、本発明の実施の形態について、図面を参照して詳細に説明する。
【００２４】
（実施の形態１）
図１は、本発明の実施の形態１に係る通信ネットワークシステムの構成を示す図である。図２は、本発明の実施の形態１に係る通信ネットワークシステムの無線端末収容装置及びサーバ装置の構成を示すブロック図である。
【００２５】
図１に示すように、本発明の実施の形態１に係る通信ネットワークシステム１００は、複数の無線端末収容装置｛アクセスポイント装置（ＡＰ）｝１ａ、１ｂ、１ｃ、１ｄ、複数の移動通信端末装置１０１及びサーバ装置１０２を具備している。
【００２６】
複数の無線端末収容装置１ａ〜１ｄの各々は、配下の複数の無線エリアａ、ｂ、ｃ、ｄの各々を有している。複数の移動通信端末装置１０１の各々は、ＡＰ１ａ〜ＡＰ１ｄの配下の複数の無線エリアａ〜ｄを移動する。図１においては、１つの移動通信端末装置１０１のみが示されている。複数の移動通信端末装置１０１の各々は、現在位置している無線エリアａ〜ｄを形成しているＡＰ１ａ〜１ｄの１つに収容される。複数の移動通信端末装置１０１の各々は、現在位置している無線エリアａ〜ｄを形成しているＡＰ１ａ〜１ｄの１つと通信を行う。サーバ装置１０２は、ＡＰ１ａ〜１ｄと通信を行う。
【００２７】
図２に示すように、ＡＰ１ａは、ネットワーク通信部２０１、装置識別情報送信部２０２、端末管理情報蓄積部２０３、インフラストラクチャ通信部２０４、隣接情報送信部２０５、ＡＰ通信部２０６、ＡＰ広告送信部２０７、端末位置情報送信部２０８、隣接情報送信部２０９及び隣接情報選択部２１０を具備している。ＡＰ１ｂ〜１ｄは、ＡＰ１ａと同じ構成要素を具備している。
【００２８】
ネットワーク通信部２０１は、通信ネットワークを介してサーバ装置１０２と通信する。装置識別情報送信部２０２は、ＷＤＳ（Wireless Distribution System）モードで使用するＭＡＣアドレスと自装置の識別子と自装置の無線エリアの識別情報の組である装置識別情報を通信ネットワークを介してサーバ装置１０２に送信する。装置識別情報は、通信モードによっては通信ネットワーク用の自己の識別情報と無線通信用の自己の識別情報を有していればよい場合もある。
【００２９】
端末管理情報蓄積部２０３は、サーバ装置１０２から受信する端末管理情報を蓄積する。この端末管理情報は、移動通信端末装置１０１の識別情報と移動通信端末装置１０１が位置している無線エリアの識別情報とを有している。
【００３０】
インフラストラクチャ通信部２０４は、端末管理情報蓄積部２０３に蓄積された端末管理情報を利用して移動通信端末装置１０１とインフラストラクチャモードで通信を行う。隣接情報送信部２０５は、ＷＤＳモードで受信したパケットから無線エリアの隣接の情報である隣接情報を生成して定期的にサーバ装置１０２に送信する。
【００３１】
ここで、無線エリア（又はＡＰ）が「隣接する」とは、無線エリアに重なりがあることを言う。また、「無線エリアの識別情報」とは、例えば、ＩＥＥＥ８０２．１１標準化仕様のＢＳＳＩＤのように無線エリアを一意に識別できる情報である。
【００３２】
また、移動通信端末装置が無線エリアに「収容される」とは、移動通信端末装置がＡＰとＩＥＥＥ８０２．１１標準化仕様におけるアソシエーションを確立したこと、移動通信端末装置がＡＰとＩＥＥＥ８０２．１１標準化仕様における認証を確立したこと、又は、移動通信端末装置がＡＰからＩＥＥＥ８０２．１１標準化仕様におけるビーコンを受信したことである。なお、１つのＡＰは、複数の無線エリアを持つことも可能である。
【００３３】
ＡＰ通信部２０６は、他のＡＰ１ｂａ〜１ｄとＷＤＳモードで通信を行う。ＡＰ広告送信部２０７は、定期的にＷＤＳモードでＡＰ広告フレーム（ＡＰ間の通信で用いる自己の識別情報）を送信する。端末位置情報送信部２０８は、移動通信端末装置１０１からデータを受信すると移動通信端末装置１０１の端末位置情報をサーバ装置１０２に送信する。
【００３４】
移動通信端末装置１０１は、異なる無線エリアに収容されると、その無線エリアの識別情報を取得して記憶し、記憶した無線エリアの識別情報を新しいＡＰに通知する。
【００３５】
ここで、識別情報をＢＳＳＩＤとした場合の移動通信端末装置１０１の処理（無線エリア識別情報取得、移動検出、無線エリア識別情報通知）は、公知の技術で実現が可能であるが、これに限るものではない。
【００３６】
隣接情報送信部２０９は、移動通信端末装置１０１から受信するエリア移動隣接情報を隣接情報として自己の識別情報と共に定期的にサーバ装置１０２に送信する。隣接情報選択部２１０は、隣接情報送信部２０５及び隣接情報送信部２０９からの隣接情報のいずれかを選択してネットワーク通信部２０１を介してサーバ装置１０２に送信する。
【００３７】
また、隣接情報選択部２１０は、隣接情報送信部２０５及び隣接情報送信部２０９の各々が送信する隣接情報をすべてサーバ装置１０２に送信するように構成してもよい。
【００３８】
また、隣接情報選択部２１０は、隣接情報送信部２０９から隣接情報が送られてくる回数をカウントしてカウント値を生成し、このカウント値が予め定めた一定の閾値を超えた場合には、隣接情報送信部２０５から送られる隣接情報をサーバ装置１０２に送らないように構成してもよい。
【００３９】
サーバ装置１０２は、装置識別情報テーブル２１１、装置識別情報登録部２１２、隣接情報テーブル２１３、隣接情報登録部２１４、ネットワーク通信部２１５、端末管理情報蓄積部２１６及び移動前端末管理情報送信部２１７を具備している。
【００４０】
装置識別情報テーブル２１１は、ＷＤＳモードで使用するＭＡＣアドレスと自装置の識別子の組である装置識別情報を保持する。装置識別情報テーブル２１１の１例が図３に示されている。装置識別情報登録部２１２は、ＷＤＳモードで使用するＭＡＣアドレスと自装置の識別子と自装置の無線エリアの識別情報の組である装置識別情報を装置識別情報テーブル２１１に登録する。
【００４１】
隣接情報テーブル２１３は、隣接情報を保持する。隣接情報登録部２１４は、隣接情報と装置識別情報テーブル２１１の装置識別情報とに基づいて装置識別情報ごとの隣接情報が隣接情報テーブル２１３に登録されていない時に当該装置識別情報ごとの当該隣接情報を隣接情報テーブル２１３に登録する。隣接情報テーブル２１３の１例が図４に示されている。ネットワーク通信部２１５は、通信ネットワークを介して他のＡＰ１ｂ〜１ｄと通信する。
【００４２】
端末管理情報蓄積部２１６は、移動通信端末装置１０１からの端末情報を端末管理情報として蓄積する。移動前端末管理情報送信部２１７は、端末位置情報を受信した時に隣接情報テーブル２１３の隣接情報に基づいて当該端末位置情報を送信したＡＰに隣接するＡＰに端末管理情報を予め送信しておく。
【００４３】
移動通信端末装置１０１は、インフラストラクチャ通信部２２１、無線エリア識別情報取得部２２２、無線エリア識別情報記憶部２２３、移動検出部２２４及びエリア移動隣接情報送信部２２５を具備している。
【００４４】
インフラストラクチャ通信部２２１は、ＡＰと通信を行う。無線エリア識別情報取得部２２２は、収容された無線エリアの識別情報を取得する。無線エリア識別情報記憶部２２３は、無線エリア識別情報取得部２２２により取得された無線エリアの識別情報を記憶する。
【００４５】
移動検出部２２４は、１つの無線エリアから他の無線エリア（異なる無線エリア）に移動したことを検出してエリア移動情報を生成する。エリア移動隣接情報送信部２２５は、移動検出部２２４からのエリア移動情報に係る前記１つの無線エリア及び前記他の無線エリアの情報であるエリア移動隣接情報を無線エリア識別情報記憶部２２３から読み出して前記他の無線エリアのＡＰにインフラストラクチャ通信部２２４を介して送信する。
【００４６】
次に、本発明の実施の形態１に係る通信ネットワークシステム１００について、具体的に説明する。
【００４７】
ＡＰ１ａ〜１ｄは、IEEE802.11で規定されているインフラストラクチャモードとＷＤＳ（Wireless Distribution System）モードでの通信が可能である。インフラストラクチャモードとは、ＡＰが配下にある移動通信端末装置と通信を行うモードである。ＷＤＳモードとは、ＡＰの間で通信を行うモードである。ＡＰ１ａ〜１ｄは、インフラストラクチャモードとＷＤＳモードを並行して動作する構成でもよいし、また、時分割に切替える構成でもよい。
【００４８】
また、ＡＰ通信部２０６は、IEEE802.11で規定されているインフラストラクチャモードとアドホックモードでの通信が可能である。ＡＰ通信部２０６及びインフラストラクチャ通信部２０４、２２１は、別チャネルを用いて並列に通信してもよく、また、同一チャネルを用いて時分割に通信してもよい。
【００４９】
複数のＡＰ１ａ〜１ｄがインフラストラクチャモードで動作するときの無線チャネルは、異なるものでもよい。但し、ＷＤＳモード（又はアドホックモード）で使用する無線チャネルは、同じに設定される。
【００５０】
図５に、IEEE802.11のフレームフォーマットが示されている。To DS,From DSフィールドによって、インフラストラクチャモード、アドホックモード及びＷＤＳモードが決定される。図６の上にＷＤＳモードを使用して移動通信端末装置⇒ＡＰ⇒ＡＰ⇒移動通信端末装置の通信を行う場合のフレームフォーマットが示されている。図６の下にアドホックモードを使用してＡＰ⇒ＡＰの通信を行う場合のフレームフォーマットが示されている。
【００５１】
すべてのＡＰ１ａ〜１ｄは、起動時に自装置の通信ネットワーク用のＭＡＣアドレスとＷＤＳモードで使用するＭＡＣアドレスの組（装置識別情報）をサーバ装置１０２に送信する。ＷＤＳモードで使用するＭＡＣアドレスは、通信網がレイヤ３の網であればＩＰアドレス等に置き換えてもよい。通信ネットワークを介して通信することが可能な識別情報であれば同様の効果が得られる。例えば、ＡＰａは、（MACx1a,MACz1a）の組をサーバ装置１０２に送信する。
【００５２】
サーバ装置１０２は、ＡＰ１ａ〜１ｄから送信されてくる装置識別情報に基づいて装置識別情報テーブル２１１を作成する。サーバ装置１０２は、４つのＡＰ１ａ〜１ｄから装置識別情報を受け取ると、図３の装置識別情報テーブル２１１のように記憶することになる。
【００５３】
ＡＰ１ａ〜１ｄは、定期的にRA=自ＭＡＣアドレス、TA=ブロードキャストＭＡＣアドレスのＷＤＳモードのフレーム（ＡＰ広告フレームと呼ぶ）を送信する。例えば、ＡＰ１ａは、RA=MACz1a,TA=ff:ff:ff:ff:ff:ffのフレームを送信する。
【００５４】
ＡＰ広告フレームを受信した他のＡＰは、サーバ装置１０２に自装置の通信ネットワーク用のＭＡＣアドレスと識別可能な識別子と受信したRAの組をサーバ装置１０２に送信する。例えば、ＡＰ１ａが送信したＡＰ広告フレームを受信したＡＰ１ｂは、（MACx1b、MACz1a）の組（隣接情報）をサーバ装置１０２に送信する。同時に、ＡＰ１ａが送信したＡＰ広告フレームを受信したＡＰ１ｃは、（MACx1c、MACz1a）の組（隣接情報）をサーバ装置１０２に送信する。
【００５５】
サーバ装置１０２は、受信した隣接情報からＡＰのトポロジを記憶する隣接情報テーブル２１３を作成する。例えば、サーバ装置１０２は、上で得た装置識別情報（MACx1a、MACz1a）を利用して、隣接情報（MACx1b,MACx1a）、（MACx1c,MACx1a）を得る。サーバ装置１０２は、４つＡＰ１ａ〜１ｄから隣接情報を受け取ると最終的に図４の隣接情報テーブル２１３のように記憶することになる。
【００５６】
なお、サーバ装置１０２が管理している隣接情報テーブル２１３のエントリは、エージングによって削除してもよいし、また、新たな情報で上書きしてもよい。
【００５７】
ＡＰ１ａ〜１ｄは、移動通信端末装置１０１から上りパケットをはじめて受信したとき端末位置情報（端末のＩＤとＡＰのＩＤ（MACx1a）の組）をサーバ装置１０２に送信する。サーバ装置１０２は、移動通信端末装置１０１の端末位置情報を隣接情報テーブ２１３ルに従って、ＡＰ１ｂ及びＡＰ１ｃに送信する。移動通信端末装置１０１は、ＡＰ１ｃの無線エリアｃに移動した時に端末情報（例えば、通信に用いる暗号鍵）を予めもらっているＡＰ１ｃと通信を継続できる。
【００５８】
ＡＰ１ａ〜１ｄがインフラストラクチャモードとＷＤＳモードを切替えて使用する構成の場合には、なんらかの方法で複数のＡＰ１ａ〜１ｄの時間を揃えておく。これは、手動で設定してもよく、また、起動時にサーバ装置１０２から設定するようにしてもよい。
【００５９】
ＡＰ１ａ〜１ｄがインフラストラクチャモードとアドホックモードが並行して動作する構成の場合には、ＡＰは、定期的にRA=自ＭＡＣアドレス及びTA=ブロードキャストＭＡＣアドレスのアドホックモードのフレーム（ＡＰ広告フレーム）を送信する。例えば、ＡＰ１ａは、RA=MACz1a,TA=ff:ff:ff:ff:ff:ffのフレームを送信する。
【００６０】
ＡＰ１ａ〜１ｄがインフラストラクチャモードとアドホックモードを切替えて使用する構成の場合には、なんらかの方法で複数のＡＰ１ａ〜１ｄの時間を揃えておく。これは、手動で設定してもよく、起動時にサーバ装置１０２から設定してもよい。
【００６１】
なお、本発明の実施の形態１に係る通信ネットワークシステムにおいて、隣接情報テーブル２１３は、エージングタイマー機能を有するように構成してもよい。これにより、頻度の低い（イレギュラーな）隣接情報を削除して頻度の高い隣接情報だけを保持することができる。
【００６２】
このように、本発明の実施の形態１においては、移動通信端末装置から端末位置情報を受信した時に隣接情報テーブルの隣接情報に基づいて当該端末位置情報を送信した無線端末収容装置に隣接する他の無線端末収容装置に端末管理情報を予め送信しておくため、通信ネットワークシステムの構成の変化ごとに保守管理者（オペレーター）が隣接するＡＰの情報（隣接情報）を登録する必要がなく、移動通信端末装置からのエリア移動隣接情報に基づいて新たに隣接情報を登録することができ、かつ、隣接情報が登録されている場合に移動通信端末装置（クライアント端末装置）が隣接する無線エリアに移動する毎に通常の通信が一時的に不可能となることを防止することができる。
【００６３】
また、本発明の実施の形態１においては、複数の移動通信端末装置の各々は、無線エリアの識別情報を取得して記憶し、１つの前記無線エリアから他の前記無線エリアに移動したことを検出してエリア移動情報を生成し、かつ、前記エリア移動情報に係る前記１つの無線エリアの情報及び前記他の無線エリアであるエリア移動隣接情報を前記他の無線エリアのＡＰに送信するため、このエリア移動隣接情報に基づいて無線エリアの隣接情報を得るから、実際の無線エリアの隣接情報を得ることができる。
【００６４】
（実施の形態２）
次に、本発明の実施の形態２について、図面を参照して詳細に説明する。
【００６５】
図７は、本発明の実施の形態２に係る通信ネットワークシステムの構成を示す図である。図８は、本発明の実施の形態２に係る通信ネットワークシステムの無線端末収容装置の構成を示すブロック図である。本発明の実施の形態２においては、本発明の実施の形態１と同じ構成要素には同じ参照符号が付されてその説明が省略される。
【００６６】
図７に示すように、本発明の実施の形態２に係る通信ネットワークシステム７００は、複数のＡＰ１ａ〜１ｄと、複数のＡＰ１ａ〜１ｄの配下の複数の無線エリアａ〜ｄを移動する複数の移動通信端末装置１０１と、を具備する。図７においては、１つの移動通信端末装置１０１のみが図示されている。
【００６７】
図８に示すように、ＡＰ１ａは、ネットワーク通信部２０１、装置識別情報送信部２０２、インフラストラクチャ通信部２０４、隣接情報送信部２０５、ＡＰ通信部２０６、ＡＰ広告送信部２０７、端末位置情報送信部２０８、隣接情報送信部２０９、隣接情報選択部２１０、装置識別情報テーブル２１１、装置識別情報登録部２１２、隣接情報テーブル２１３、隣接情報登録部２１４、端末管理情報蓄積部７０１及び移動前端末管理情報送信部７０２を具備している。ＡＰ１ｂａ〜１ｄは、ＡＰ１ａと同じ構成要素を具備している。
【００６８】
次に、本発明の実施の形態１に係る通信ネットワークシステム１００と異なる発明の実施の形態２に係る通信ネットワークシステム７００の動作について、図面を参照して説明する。
【００６９】
装置識別情報送信部２０２は、起動時に自己の識別情報である装置識別情報を他のＡＰに送信する。
【００７０】
隣接情報送信部２０５は、隣接情報を定期的に他のＡＰに送信する。端末位置情報送信部２０８は、移動通信端末装置１０１からデータを受信すると端末位置情報を端末管理情報蓄積部７０１及び移動前端末管理情報送信部７０２に送信する。
【００７１】
端末管理情報蓄積部７０１は、他のＡＰから送信される端末管理情報を蓄積すると共に移動通信端末装置１０１からの端末情報を端末管理情報として蓄積する。移動前端末管理情報送信部７０２は、移動通信端末装置１０１からの端末位置情報を受信した時に隣接情報テーブル２１３の隣接情報に基づいて当該端末位置情報を送信したＡＰに隣接する他のＡＰ端末管理情報を予め送信しておく。これにより、ＡＰ１ａは、移動通信端末装置１０１が配下の無線エリアａに移動してきた時に前記端末管理情報に基づいて通信を継続することができる。
【００７２】
すべてのＡＰ１ａ〜１ｄの各々は、起動時に自装置の通信ネットワーク用のＭＡＣアドレスとＷＤＳモードで使用するＭＡＣアドレスの組（装置識別情報）を他のすべてのＡＰに送信する。例えば、ＡＰ１ａは、MACx1a,MACz1a）の組を他のすべてのＡＰに送信する。
【００７３】
装置識別情報を受信したＡＰは、装置識別情報テーブル２１１を作成する。この場合の装置識別情報テーブル２１１の１例が図９に示されている。
【００７４】
ＡＰ１ａ〜１ｄの各々は、定期的にRA=自MACアドレス、TA=ブロードキャストＭＡＣアドレスのＷＤＡモードのフレーム（ＡＰ広告フレーム）を送信する。例えば、ＡＰ１ａは、RA=MACz1a,TA=ff:ff:ff:ff:ff:ffのフレームを送信する。
【００７５】
ＡＰ広告フレームを受信したＡＰは、自装置の通信ネットワーク用のＭＡＣアドレスと識別可能な識別子と受信したRAの組を得る。例えば、ＡＰ１ａが送信したＡＰ広告フレームを受信したＡＰ１ｂは、（MACx1b、MACz1a）の組（隣接情報）を得る。同時に、ＡＰ１ａが送信したＡＰ広告フレームを受信したＡＰ１ｃは、（MACx1c、MACz1a）の組（隣接情報）を得る。
【００７６】
ＡＰは生成した隣接情報からＡＰのトポロジを記憶する隣接情報管理テーブル２１３を作成する。例えば、ＡＰは、上で得た装置識別情報（MACx1a、MACz1a）を利用して、隣接情報（MACx1b,MACx1a）及び（MACx1c,MACx1a）を得る。例えば、ＡＰ１ａ、１ｂ、１ｃの隣接情報テーブル２１３は、図１０のように記憶することになる。
【００７７】
このように、本発明の実施の形態２においては、本発明の実施の形態１の効果に加えて、サーバ装置を使用しないので移動通信端末装置が頻繁に移動するような環境において、端末管理情報を送信する端末移動前情報送信部にかかる負荷が軽減され、かつ、スケーラビリティを持ったネットワークの構築が可能になる。
【００７８】
なお、本発明の実施の形態２において、隣接情報送信部２０５及び隣接情報選択部２１０は、削除されてもよい。
【産業上の利用可能性】
【００７９】
本発明は、通信ネットワークシステムの構成の変化ごとに保守管理者（オペレーター）が隣接する無線端末収容装置の情報（隣接情報）を登録する必要がなく、かつ、移動通信端末装置が隣接する無線エリアに移動する毎に通常の通信が一時的に不可能となることがない効果を有し、通信ネットワークシステム、サーバ装置、無線端末収容装置及び移動通信端末装置に有用である。
【図面の簡単な説明】
【００８０】
【図１】本発明の実施の形態１に係る通信ネットワークシステムの構成を示す図
【図２】本発明の実施の形態１に係る通信ネットワークシステムの無線端末収容装置及びサーバ装置の構成を示すブロック図
【図３】本発明の実施の形態１に係る通信ネットワークシステムの装置識別情報テーブルの１例を示す図
【図４】本発明の実施の形態１に係る通信ネットワークシステムの隣接情報テーブルの１例を示す図
【図５】本発明の実施の形態１に係る通信ネットワークシステムにおいて用いれるIEEE802.11のフレームフォーマットを示す図
【図６】ＷＤＳモード及びアドホックモードを使用して通信を行う場合のフレームフォーマットを示す図
【図７】本発明の実施の形態２に係る通信ネットワークシステムの構成を示す図
【図８】本発明の実施の形態２に係る通信ネットワークシステムの無線端末収容装置の構成を示すブロック図
【図９】本発明の実施の形態２に係る通信ネットワークシステムの装置識別情報テーブルの１例を示す図
【図１０】本発明の実施の形態２に係る通信ネットワークシステムの隣接情報テーブルの１例を示す図
【図１１】従来の通信ネットワークシステムの構成を示す図
【符号の説明】
【００８１】
１００、７００  通信ネットワークシステム
１ａ〜１ｄ  無線端末収容装置｛アクセスポイント装置（ＡＰ）｝
１０１  移動通信端末装置
１０２  サーバ装置
２０１  ネットワーク通信部
２０２  装置識別情報送信部
２０３  端末管理情報蓄積部
２０４、２２１  インフラストラクチャ通信部
２０５、２０９  隣接情報送信部
２０６  ＡＰ通信部
２０７  ＡＰ広告送信部
２０８  端末位置情報送信部
２１０  隣接情報選択部
２１１  装置識別情報テーブル
２１２  装置識別情報登録部
２１３  隣接情報テーブル
２１４  隣接情報登録部
２１５  ネットワーク通信部
２１６、７０１  端末管理情報蓄積部
２１７、７０２  移動前端末管理情報送信部
２２２  無線エリア識別情報取得部
２２３  無線エリア識別情報記憶部
２２４  移動検出部
２２５  エリア移動隣接情報送信部
【図１】
2006148256.tif 000003
【図２】
2006148256.tif 000004
【図３】
2006148256.tif 000005
【図４】
2006148256.tif 000006
【図５】
2006148256.tif 000007
【図６】
2006148256.tif 000008
【図７】
2006148256.tif 000009
【図８】
2006148256.tif 000010
【図９】
2006148256.tif 000011
【図１０】
2006148256.tif 000012
【図１１】
2006148256.tif 000013